(57)【要約】【課題】バーコードの方向にかかわらず、安定した線幅を実現し、品質に差の無いバーコードを印刷可能とする。【解決手段】コンピュータ２０のアプリケーション側でバーコード方向に関するデータを要求すると、エンジン側でこの要求を受信し、メモリ２１、バーコード検知手段２３を介しバーコード情報を含む画像データとして入力すると、バーの方向が垂直状態か水平状態かを検出する。検出結果をアプリケーション側へ送信し、アプリケーション側ではこれを受信してバーコードデータ作成手段２４でデータを作成し、レーザ書き込み方法決定手段２５において、垂直と判断したときは４つのレーザにて露光を行い、平行と判断したときは一つのレーザだけを発光させて露光を行う制御を行う。そしてその結果をエンジン側へ送信し、エンジン側でこれを受信し、プリンタ２６で印字動作を実行する。【選択図】図６
2008036993.tif 000002
【特許請求の範囲】
【請求項１】
静電潜像を作成するための書き込み手段であるレーザダイオードを複数有する印字装置に対し、印字データにバーコードがある場合の静電潜像作成時は、一つのレーザダイオードによって全ての画像の書き込みを行う印字データを与え、一つのレーザで書き込みを行うための補正動作の情報を与える印字装置の制御装置。
【請求項２】
請求項１の印字装置の制御装置において、バーコードの印字方向検知を行う検知手段を有することを特徴とする印字装置の制御装置。
【請求項３】
請求項２の印字装置の制御装置において、バーコードの印字データを検知し、バーの方向が現像方向に平行であると検出したときだけ、静電潜像の作成時に一つのレーザダイオードによって書き込みを行うよう情報を与える印字装置の制御装置。
【請求項４】
請求項１から３のいずれかの印字装置の制御装置を用い、一つのレーザダイオードによって書き込みを行うための補正動作を行う手段を有することを特徴とする印字装置。
【請求項５】
静電潜像を作成するための書き込み手段であるレーザダイオードを複数有し、外部から与えられたバーコードを含む印字データを処理可能な印字装置であって、印字データにバーコードがある場合の電潜像作成時は一つのレーザダイオードによって画像データの書き込みを行い、画像データが一つのレーザダイオードによって書き込みを行うための補正動作を行う手段を有することを特徴とする印字装置。
【請求項６】
請求項５の印字装置において、バーコードの印字方向検知を行う検知手段を有することを特徴とする印字装置。
【請求項７】
請求項６の印字装置において、バーコードの印字データを検知し、バーの方向が現像方向に平行であると検出したときだけ、静電潜像の作成時に一つのレーザダイオードによって書き込みを行うことを特徴とする印字装置。
【請求項８】
請求項４から７のいずれかの印字装置において、一つのレーザダイオードによって書き込みを行うための補正動作を行う手段が、ｎ個のレーザダイオードを有し、一つのレーザダイオードによって書き込みを行うときは、像担持体の回転速度をｎ／Ａ（Ａ：像担持体の回転速度）とすることを特徴とする印字装置。
【請求項９】
請求項４から７のいずれかの印字装置において、一つのレーザダイオードによって書き込みを行うための補正動作を行う手段が、ｎ個のレーザダイオードを有し、一つのレーザダイオードによって書き込みを行うときは、ポリゴンモータの回転速度をｎ×Ｂ（Ｂ：ポリゴンモータの回転速度）とすることを特徴とする印字装置。
【請求項１０】
静電潜像を作成するための書き込み手段であるレーザダイオードを複数有する印字装置において、静電潜像の書き込みを一つのレーザダイオードで行う印字方法を指定することのできる、特定のモードを有することを特徴とする印字装置。
【発明の詳細な説明】
【技術分野】
【０００１】
本発明は、バーコード印刷を行う印刷装置、及び、それを実行するため制御を行うプログラムを実行する印字装置の制御装置に関する。
【背景技術】
【０００２】
電子写真による印刷装置は、文字、図形等をドットと言われる点の集合で描画して印刷している。その点の大きさが小さい程、文字等を構成するドット数が増して精密な印刷が可能になる。そして、その点の大きさを一般に解像度として表現している。デジタル印字装置によるドットの形成はレーザダイオードによってレーザビームを感光体に照射し、静電潜像を作成して行われているものがほとんどである。そして、近年の高速化により時間あたりの印刷枚数が早い印刷装置は全ての作像プロセスを高速で行う必要があり、静電潜像作成の書込み手段であるレーザダイオードを複数使用して感光体への書き込みを行うものが多くなってきている。
【０００３】
印刷装置でバーコードの印刷を行う場合には、各バーコードの規格に合致する構成で印刷を行う。例えば、コンビニエンスストアで支払いを行う料金代理収納システムにて用いられているバーコード規格であるＵＣＣ／ＥＡＮ−１２８バーコード（Ｅｕｒｏｐｅａｎ  Ａｒｔｉｃｌｅ  Ｎｕｍｂｅｒ１２８：国際ＥＡＮ協会が標準化したバーコード）は、両側のクワイエットゾーンを含めたバーコードの全長が６０ｍｍ以内とする必要があり、４種類の太さの線で構成される。そのようなバーコードを解像度６００ｄｐｉで印刷する場合、バーコードを構成するドット構成は、白の線（以下「白バー」という）と黒の線（以下「黒バー」という）ともに、４ドット（０．１６９ｍｍ）、８ドット、１２ドット、１６ドットで行うのが一般的であり、線幅は非常に細く高密度になってきているために印字が困難になっている。
【０００４】
そこで従来、所定のバーコード幅に記録する情報量が増大したとき、線幅の条件によって読取率が低くなってしまわないように、バーコードの黒バーの太りがないように黒バー及び白バーの線幅を適切な幅に設定したバーコードフォントテーブルを用意することでバーコードの読取率低下を解決している印刷装置（例えば、特許文献１参照）があった。その他にも、フォントテーブルを使わずに白バー黒バーのドット数を可変してバーコードデータを作成し、読取率低下を解決している印刷装置も知られている。
【０００５】
【特許文献１】特開２００４−１７３９９号公報
【特許文献２】特開平０９−２４５１１６号公報
【特許文献３】特開平０８−０４４８０７号公報
【特許文献４】特開２００５−２１２４２９号公報
【特許文献５】特開平１１−０４８５２８号公報
【発明の開示】
【発明が解決しようとする課題】
【０００６】
ところで、高速化によって複数のレーザダイオードによって書き込みを行う装置では、調整しているとはいえ感光体像面でのレーザビーム径にバラツキが生じるため、現像方向に平行直線に凹凸が発生し、場所によって線幅が変わってしまうことがわかっている。上記のコンビニエンスストア料金代理収納用ＵＣＣ／ＥＡＮ−１２８バーコードのような高精細な線を必要とするバーコードにおいて、線の凹凸による線幅の変動はバーコードリーダによる読み取り不良を起こす原因となるものである。
【０００７】
この発明は上記の点にかんがみてなしたものであり、バーコードの方向にかかわらず、常に線幅の安定したバーコードを印刷できるようにすることを目的とする。
【課題を解決するための手段】
【０００８】
本発明の請求項１に係る印字装置の制御装置は、静電潜像を作成するための書き込み手段であるレーザダイオードを複数有する印字装置に対し、印字データにバーコードがある場合の静電潜像作成時は、一つのレーザダイオードによって全ての画像の書き込みを行う印字データを与え、一つのレーザで書き込みを行うための補正動作の情報を与える。
【０００９】
同請求項２に係るものは、請求項１の印字装置の制御装置において、バーコードの印字方向検知を行う検知手段を有することを特徴とする。
【００１０】
同請求項３に係るものは、請求項２の印字装置の制御装置において、バーコードの印字データを検知し、バーの方向が現像方向に平行であると検出したときだけ、静電潜像の作成時に一つのレーザダイオードによって書き込みを行うよう情報を与える。
【００１１】
同請求項４に係る印字装置は、請求項１から３のいずれかの印字装置の制御装置を用い、一つのレーザダイオードによって書き込みを行うための補正動作を行う手段を有することを特徴とする。
【００１２】
同請求項５に係るものは、静電潜像を作成するための書き込み手段であるレーザダイオードを複数有し、外部から与えられたバーコードを含む印字データを処理可能な印字装置であって、印字データにバーコードがある場合の電潜像作成時は一つのレーザダイオードによって画像データの書き込みを行い、画像データが一つのレーザダイオードによって書き込みを行うための補正動作を行う手段を有することを特徴とする。
【００１３】
同請求項６に係るものは、請求項５の印字装置において、バーコードの印字方向検知を行う検知手段を有することを特徴とする。
【００１４】
同請求項７に係るものは、請求項６の印字装置において、バーコードの印字データを検知し、バーの方向が現像方向に平行であると検出したときだけ、静電潜像の作成時に一つのレーザダイオードによって書き込みを行うことを特徴とする。
【００１５】
同請求項８に係るものは、請求項４から７のいずれかの印字装置において、一つのレーザダイオードによって書き込みを行うための補正動作を行う手段が、ｎ個のレーザダイオードを有し、一つのレーザダイオードによって書き込みを行うときは、像担持体の回転速度をｎ／Ａ（Ａ：像担持体の回転速度）とすることを特徴とする。
【００１６】
同請求項９に係るものは、請求項４から７のいずれかの印字装置において、一つのレーザダイオードによって書き込みを行うための補正動作を行う手段が、ｎ個のレーザダイオードを有し、一つのレーザダイオードによって書き込みを行うときは、ポリゴンモータの回転速度をｎ×Ｂ（Ｂ：ポリゴンモータの回転速度）とすることを特徴とする。
【００１７】
同請求項１０に係るものは、静電潜像を作成するための書き込み手段であるレーザダイオードを複数有する印字装置において、静電潜像の書き込みを一つのレーザダイオードで行う印字方法を指定することのできる、特定のモードを有することを特徴とする。
【発明の効果】
【００１８】
本発明に係る印字装置及びその制御装置においては、一つのレーザダイオードによって全ての画像の書き込みを行う印字データを与え、一つのレーザで書き込みを行うための補正動作の情報を与える制御を行っているので、バーコードの方向にかかわらず、安定した線幅を実現し、品質に差の無いバーコードを印刷するための制御が可能となる。
【発明を実施するための最良の形態】
【００１９】
以下本発明を実施するための最良の形態を、図に示す実施例を参照して説明する。
【実施例１】
【００２０】
以下、本発明を画像形成装置である電子写真プリンタ（以下、プリンタという）に適用した一実施形態について説明する。まず、本実施形態に係るプリンタ全体の構成及び動作について説明する。図１はプリンタ全体の概略構成図である。図１において、潜像担持体としての感光体１の周面は、所定の周速度で回転駆動されながら、帯電装置２によって正または負の所定電位に一様に帯電させた後、スリット露光やレーザビーム走査露光等の像露光装置３によって画像情報に基づいた走査露光処理がなされて静電潜像が形成される。感光体１上に形成された静電潜像は、現像装置４によって現像されてトナー像となる。感光体１上に形成されたトナー像は、給紙カセット５からレジストローラ６、搬送ガイド板７上を通過して感光体１と転写ローラ８との間に感光体１の回転と同期して給送された転写材上に、転写ローラ８によって転写される。このようにして、トナー像が転写された転写材は、感光体１の周面から分離されて像定着装置９に送り出され、ここでトナー像が定着せしめられた後、複写物（コピー）としてとして装置外に排出される。なお、像転写後の感光体１上の表面は、クリーニング装置１０によって転写残トナーが除去されて清浄面化され、図示しない除電装置により除電され、次の画像形成に使用される。
【００２１】
そして図１に示すように、上述した感光体１、帯電装置２、現像装置４、クリーニング装置１０の各構成要素は、一体に構成されたプロセスカートリッジ１１としてプリンタ本体に着脱可能に支持されている。図１に示すプリンタの像露光装置であるレーザダイオードは４つ装着されており、４つのレーザビームによって感光体の回転方向に対し順番に走査露光を行うものである。
【００２２】
ここで、バーコードの構成についての説明をすると、図２に示すように、白バー黒バーともに４種類の線があり、１モジュール幅の２倍、３倍、４倍の線幅で構成される。４種類の線幅は白バー、黒バー共に同じ幅である。また１モジュール幅とは、バーコードを構成する４種類の太さのうち最も細いバーのことであり、基準の太さとなるものである。
【００２３】
図３（Ａ）、（Ｂ）は、バーコードの方向が現像方向に垂直なもの（Ａ）と平行なもの（Ｂ）を示す。垂直方向はレーザビームの走査方向に線が描かれるためレーザビーム径のバラツキが線に現れることは無い。しかし平行方向はレーザビームの走査方向と直角に線を描くため、複数のレーザを使用しているプリンタではレーザビーム径のバラツキが線のエッジに出てしまい、複数のレーザを使用していて、レーザビーム径にバラツキがある場合は線に凹凸が発生してしまう。
【００２４】
図４は本実施例で使用したレーザダイオードを４つ持ったプリンタで４つのレーザビームを使用して線を描いたときのイメージ図（Ａは垂直方向で図３（Ａ）相当、Ｂは平行方向で図３（Ｂ）相当）である。前記説明のように、４つのレーザビームで平行方向に印字した場合、線に凹凸が出てしまい場所によって線幅が変わってしまうことがわかる。図５は全ての静電潜像露光を一つのレーザビームで露光を行っており、レーザビーム径は変わらないため線の凹凸がほとんど無く、線幅は安定している。この図５でも、Ａは垂直方向で図３（Ａ）相当、Ｂは平行方向で図３（Ｂ）相当である。このように、バーコードのバーの方向を現像方向に対して平行方向に印字する場合、一つのレーザにて書込み露光を行う事で、安定した線幅のバーを印字する事が可能である。
【００２５】
図６は本発明のバーコード印字の印字装置及び制御装置の一例の原理を示すブロック図である。詳細な処理動作の流れは図７のフローチャートを参照して説明する。図中２０はコンピュータ、２１がメモリ、２２はプリンタドライバ、２３はバーコード検知手段、２４はバーコードデータ作成手段、２５はレーザ書き込み方法決定手段、そして２６はプリンタである。
【００２６】
コンピュータ２０のアプリケーション側でバーコード方向に関するデータを要求すると（ステップ１）、エンジン側でこの要求を受信し（ステップ２）、メモリ２１からの画像データをバーコード検知手段２３を用いてバーコード情報を含む画像データとして入力すると、バーコードのバーの方向が図３（Ａ）の状態であるか図３（Ｂ）の状態であるかを検出する。バーの方向を検出するには、例えば画像の黒の部分がある長さ（バーの最低基準の長さ）以上連続しているかを見れば良い。検出するハードウェアには種々公知のものがあるので適宜採用すればよい。この検出の結果をアプリケーション側へ送信し（ステップ３）、アプリケーション側ではこれを受信し（ステップ４）、バーコードデータ作成手段２４でデータを作成し（ステップ５）、そしてバーコードのバーが現像方向に対して垂直であると判断したときと、平行であると判断したときにレーザの書込み露光方法を変更する。本実施例では、レーザ書き込み方法決定手段２５において、垂直と判断したときは４つのレーザにて露光を行い、平行と判断したときは一つのレーザだけを発光させて露光を行う制御を行うこととした（ステップ６）。そしてその結果をエンジン側へ送信し（ステップ７）、エンジン側でこれを受信すると（ステップ８）、プリンタ２６で印字動作を実行し（ステップ９）、処理を終了する。
【００２７】
一つのレーザだけで書き込みを行うとき、像担持体の回転速度が従来のままだと、レーザ３つ分の書き込みができない画像となってしまうので、本実施例では像担持体の回転速度を１／４とし、また全ての画像データ書き込みを一つのレーザによって行えるような制御にした。この場合は、印字装置の単位時間あたりの出力枚数が従来の１／４になる。他にも像担持体の回転速度は変更せずに、ポリゴンモータの回転速度を４倍にし、全ての画像データ書き込みを一つのレーザによって行える制御にする方法もある。この場合は、印字装置の単位時間あたりの出力枚数は、４ビームの時と変わらないものである。
【００２８】
結果として、従来、平行方向のバーコードを４レーザビームで書き込み露光していたときは、読み取りができなかったバーコードが、１レーザビームで書き込み露光を行う事で読み取りが可能となる。ＡＮＳＩ規格（バーコードシンボルの品質評価基準）による読み取りグレードでは、ＤグレードであったものがＢグレード上がる結果になった。垂直方向のバーコードは４レーザビームで書き込み露光を行っていて、Ｂグレードという結果であったため、この方法を実施する事で垂直方向と平行方向のバーコードにおける読み取りグレードに差が無くなった。
【００２９】
すなわち本発明の印字装置の制御装置においては、静電潜像を作成するための書き込み手段であるレーザダイオードを複数有する印字装置に対し、印字データにバーコードがある場合の静電潜像作成時は、一つのレーザダイオードによって全ての画像の書き込みを行う印字データを与え、一つのレーザで書き込みを行うための補正動作の情報を与える制御を行っているので、バーコードの方向にかかわらず、安定した線幅を実現し、品質に差の無いバーコードを印刷するための制御が可能となる。また、バーコードの印字データを検知し、バーの方向が現像方向に平行であると検出したときだけ、静電潜像の作成時に一つのレーザダイオードによって書き込みを行うよう情報を与えるため、バーコードの方向にかかわらず、安定した線幅を実現し、品質に差の無いバーコードを印刷するための制御が可能となり、且つ垂直方向と判断したときは通常の動作であり、１レーザで書き込みを行う等の複雑な制御を行う必要が無く単位時間あたりの印字枚数も減ることが無い。
【００３０】
また本発明の印字装置においては、静電潜像を作成するための書き込み手段であるレーザダイオードを複数有し、外部から与えられたバーコードを含む印字データを処理可能な印字装置であって、印字データにバーコードがある場合の電潜像作成時は一つのレーザダイオードによって画像データの書き込みを行い、全ての画像データが一つのレーザダイオードによって書き込みを行えるよう補正動作を行うことで、バーコードの方向にかかわらず、安定した線幅を実現し、品質に差の無いバーコードを印刷することが可能となる。また、バーコードの印字データを検知し、バーの方向が現像方向に平行であると検出したときだけ、静電潜像の作成時に一つのレーザダイオードによって書き込みを行うことによって、バーコードの方向にかかわらず、安定した線幅を実現し、品質に差の無いバーコードを印刷することが可能となり、且つ垂直方向と判断したときは通常の動作であり、１レーザで書き込みを行う等の複雑な制御を行う必要が無く単位時間あたりの印字枚数も減ることがない。
【００３１】
さらに本発明の印字装置においては、一つのレーザダイオードによって書き込みを行うための補正動作手段が、ｎ個のレーザダイオードを有し、像担持体の回転速度がＡとする印字装置において、一つのレーザダイオードによって書き込みを行うときは、像担持体の回転速度をｎ／Ａとすることで、単位時間あたりの印字枚数は通常の１／ｎの割合に下がるが、バーコードの方向にかかわらず、安定した線幅を実現し、品質に差の無いバーコードを印刷することが可能となる。また、一つのレーザダイオードによって書き込みを行うための補正動作手段が、ｎ個のレーザダイオードを有し、レーザビームの書き込み用ポリゴンモータの回転速度をＢとする印字装置において、一つのレーザダイオードによって書き込みを行うときは、ポリゴンモータの回転速度をｎ×Ｂとすることで、バーコードの方向にかかわらず、単位時間あたりの印字枚数は同じ枚数となり、且つ安定した線幅を実現し、品質に差の無いバーコードを印刷することが可能となる。
【００３２】
またさらに、本発明の印字装置においては、静電潜像を作成するための書き込み手段であるレーザダイオードを複数有する印字装置において、静電潜像の書き込みを一つのレーザダイオードで行う印字方法を指定することのできる、特定のモードを有することで、バーコードのみならず線幅が安定し、高精細な画像を必要なときに得られる。
【図面の簡単な説明】
【００３３】
【図１】プリンタ全体の概略構成図
【図２】バーコードの構成を示す図
【図３】バーコードの方向が現像方向に垂直なもの（Ａ）と平行なもの（Ｂ）を示す図
【図４】レーザダイオードを４つ持ったプリンタで４つのレーザビームを使用して線を描いたときのイメージ図
【図５】全ての静電潜像露光を一つのレーザビームで露光を行って線を描いたときのイメージ図
【図６】本発明のバーコード印字の印字装置及び制御装置の一例の原理を示すブロック図
【図７】同フローチャート
【符号の説明】
【００３４】
１：感光体
２：帯電装置
３：像露光装置
４：現像装置
５：給紙カセット
６：レジストローラ
７：搬送ガイド板
８：転写ローラ
９：像定着装置
１０：クリーニング装置
１１：プロセスカートリッジ
２０：コンピュータ
２１：メモリ
２２：プリンタドライバ
２３：バーコード検知手段
２４：バーコードデータ作成手段
２５：レーザ書き込み方法決定手段
２６：プリンタ
【図１】
2008036993.tif 000003
【図２】
2008036993.tif 000004
【図３】
2008036993.tif 000005
【図４】
2008036993.tif 000006
【図５】
2008036993.tif 000007
【図６】
2008036993.tif 000008
【図７】
2008036993.tif 000009